(57)【特許請求の範囲】
【請求項１】
床面（１４）にガイドレール（１６、２２、３２）が埋設され、床面（１４）より上方に配設されるハンガーレール（１２）に沿って移動可能に吊下げ支持される間仕切体（１０）の下端部が、前記ガイドレール（１６、２２、３２）のレール溝（１６ａ、２２ａ、３２ａ）を貫通して該ガイドレール（１６、２２、３２）内を移動可能となった間仕切用ガイドレール構造において、前記ガイドレール（１６、２２、３２）が、前記レール溝（１６ａ、２２ａ、３２ａ）を有する横断面略Ｃ字状の形状をなすと共に長手方向の軸線を中心として回動可能であり、間仕切体（１０）のガイドレール進入方向側端部の下端にガイド部材（２０、３４）が設けられ、ガイド部材（２０、３４）によって、間仕切体（１０）のガイドレール進入時には、レール溝（１６ａ、２２ａ、３２ａ）が上側になるようにガイドレール（１６、２２、３２）が回動される一方、間仕切体のガイドレール脱出時には、非レール溝部位が上側になるようにガイドレール（１６、２２、３２）が強制的に回動されることを特徴とする間仕切用ガイドレール構造。
【請求項２】
前記ガイドレール（１６、２２）には、間仕切体受入側端部において軸線から斜めに傾斜して間仕切体受入側最端部に向かって漸次広くなる入口（１６ｄ、２２ｄ）を画成するテーパー部（１６ｃ、２２ｃ）が形成され、該入口（１６ｄ、２２ｄ）が前記レール溝（１６ａ、２２ａ）に連通しており、間仕切体受入側最端部の入口（１６ｄ、２２ｄ）は、間仕切体（１０）がガイドレール（１６、２２）にない時に、ガイドレール（１６、２２）の横断面で見て上側に位置付けられており、間仕切体（１０）のガイドレール進入時にガイド部材（２０）がテーパー部（１６ｃ、２２ｃ）を押すことによって、レール溝（１６ａ、２２ａ）が上側になるようにガイドレール（１６、２２）が回動されることを特徴とする請求項１記載の間仕切用ガイドレール構造。
【請求項３】
前記ガイドレール（１６）にはウエイト部（１６ｄ）が設けられており、前記ウエイト部（１６ｄ）が、その自重によって、間仕切体（１０）のガイドレール脱出時に、非レール溝部位が上側になるようにガイドレール（１６）を回動させることを特徴とする請求項１または２記載の間仕切用ガイドレール構造。
【請求項４】
前記ガイドレール（２２）は弾性部材（２４）によって所定回動方向に付勢されており、該弾性部材（２４）が、間仕切体（１０）のガイドレール脱出時に、非レール溝部位が上側になるようにガイドレール（２２）を回動させることを特徴とする請求項１または２記載の間仕切用ガイドレール構造。
【請求項５】
前記ガイドレール（３２）の内側にはガイド部材（３４）によって案内される案内溝（３２ｂ）が形成されており、間仕切体（１０）のガイドレール進入時にガイド部材（３４）によって案内溝（３２ｂ）が案内されることによって、レール溝（３２ａ）が上側になるようにガイドレール（３２）が回動されることを特徴とする請求項１記載の間仕切用ガイドレール構造。
【発明の詳細な説明】
【０００１】
【発明の属する技術分野】
本発明は、ハンガーレールに吊下げられた間仕切体の下端部をガイドレールが案内する間仕切用ガイドレール構造に関し、特にガイドレールに間仕切体がない時にガイドレールへの塵埃等の侵入を防止することができる間仕切用ガイドレール構造に関する。
【０００２】
【従来の技術】
従来、この種の間仕切用ガイドレール構造としては、実開昭６３−１１６６７６号公報に記載されたものがある。この公報に記載されたものは、扉をハンガーレールに沿って開閉可能に吊下げ支持し、床面に断面Ｃ型の溝レールを埋設し、扉下端から突出する足を溝レール内で走行させることによって、扉の開閉時に扉を安定状態に保持するようにしている。扉が開放されて、溝レールが使用されないときには、回動レバーを操作することによって、溝レールを回動させ、溝レールを閉鎖することができるようになっている。
【０００３】
また、他の例としては、特許第２５２７６３９号公報に記載されたものがある。この公報に記載されたものは、横引きシャッターを形成する扉体をハンガーレールに懸架し、通路面にガイドレールを敷設し、扉体を連結するヒンジ部材の下端に設けたローラ付きガイド突片をガイドレール内で走行させることによって、扉体の開閉時に扉体を安定状態に保持するようにしたものである。そして、ガイドレールに、扉体開放時に開口部を覆う蓋板を回動自在に設け、扉体の移動側における戸当たり枠の下端部に傾斜状接触面を有する押圧具を固着し、押圧具が、扉体の移動にともなって蓋板を押し上げて回動させると、ガイドレールが開放され、ガイド突片がガイドレール内を走行できるようにしている。
【０００４】
【発明が解決しようとする課題】
しかしながら、前者のものにあっては、回動レバーを手動によって操作しなければならないため、扉を開閉させるたびに、回動レバーを操作しなければならず、手間がかかるという課題がある。
また、後者のものにあっては、蓋板が床面から起立するために、例えば扉体がガイドレールの全域ではなく一部まで移動した半開放状態で保持されたときには、扉体によって閉鎖されていないところでも蓋板だけが押し上げられた状態になるため、蓋板に足を引掛けたりする恐れがあるという課題がある。
【０００５】
本発明はかかる課題に鑑みなされたもので、請求項１ないし請求項５記載の発明は、間仕切体がガイドレールにない不使用時にはガイドレールを閉鎖して保護することができると共に使用時には自動的にガイドレールを開放することができる間仕切用ガイドレール構造を提供することを目的とする。
【０００６】
【課題を解決するための手段】
上記目的を達成するために本発明のうち請求項１記載の発明は、床面にガイドレールが埋設され、床面より上方に配設されるハンガーレールに沿って移動可能に吊下げ支持される間仕切体の下端部が、前記ガイドレールのレール溝を貫通して該ガイドレール内を移動可能となった間仕切用ガイドレール構造において、
前記ガイドレールが、前記レール溝を有する横断面略Ｃ字状の形状をなすと共に長手方向の軸線を中心として回動可能であり、間仕切体のガイドレール進入方向側端部の下端にガイド部材が設けられ、ガイド部材によって、間仕切体のガイドレール進入時には、レール溝が上側になるようにガイドレールが回動される一方、間仕切体のガイドレール脱出時には、非レール溝部位が上側になるようにガイドレールが強制的に回動されることを特徴とする。
【０００７】
間仕切体をガイドレールに進入させていくと、間仕切体に設けられたガイド部材が、ガイドレールをその長手方向の軸線を中心として、レール溝が上側になるように回動させる。また、間仕切体がガイドレールから脱出すると、非レール溝部位が上側になるようにガイドレールが強制的に回動されるため、ガイドレールのレール溝の開閉が自動的に行われる。
【０００８】
また、請求項２記載の発明は、請求項１記載のものにおいて、前記ガイドレールには、間仕切体受入側端部において軸線から斜めに傾斜して間仕切体受入側最端部に向かって漸次広くなる入口を画成するテーパー部が形成され、該入口が前記レール溝に連通しており、間仕切体受入側最端部の入口は、間仕切体がガイドレールにない時に、ガイドレールの横断面で見て上側に位置付けられており、間仕切体のガイドレール進入時にガイド部材がテーパー部を押すことによって、レール溝が上側になるようにガイドレールが回動されることを特徴とする。
【０００９】
また、請求項３記載の発明は、請求項１または２記載のものにおいて、前記ガイドレールにはウエイト部が設けられており、前記ウエイト部が、その自重によって、間仕切体のガイドレール脱出時に、非レール溝部位が上側になるようにガイドレールを回動させることを特徴とする。
また、請求項４記載の発明は、請求項１または２記載のものにおいて、前記ガイドレールは弾性部材によって所定回動方向に付勢されており、該弾性部材が、間仕切体のガイドレール脱出時に、非レール溝部位が上側になるようにガイドレールを回動させることを特徴とする。
また、請求項５記載の発明は、請求項１記載のものにおいて、前記ガイドレールの内側にはガイド部材によって案内される案内溝が形成されており、間仕切体のガイドレール進入時にガイド部材によって案内溝が案内されることによって、レール溝が上側になるようにガイドレールが回動されることを特徴とする。
【００１０】
【発明の実施の形態】
以下、図面を用いて本発明の実施の形態を説明する。
図１に示したように、複数の間仕切体１０が、上方に配設されるハンガーレール１２に沿って吊下げ支持されている。各間仕切体１０は、ヒンジ１１によって互いに連結されており、ハンガーレール１２の端部（または他の収納スペース）において折り畳まれて空間を開放した開放状態と、ハンガーレール１２に沿って移動して空間を間仕切る閉鎖状態とに、切換え可能となっている。
空間の床面１４には、本発明の間仕切用ガイドレール構造が設けられる。即ち、ハンガーレール１２の下方には、ハンガーレール１２と平行に複数のガイドレール１６が一列に埋設されており、ハンガーレール１２に沿って移動する間仕切体１０の下端部に設けられたガイド部１０ａが、各ガイドレール１６のレール溝１６ａを貫通して、各ガイドレール１６を順次走行することができるようになっている。そして、各ガイドレール１６が間仕切体１０の下端部を案内することで、間仕切体１０を安定状態に保持している。
【００１１】
また、図２に示したようにガイドレール１６の長手方向に見て、ガイドレール１６には、その間仕切体１０受入側端部において、軸線から斜めに傾斜するテーパー部１６ｃが形成されており、テーパー部１６ｃは、間仕切体受入側最端部に向かって漸次広くなり、レール溝１６ａに連通する入口１６ｄを画成する。入口１６ｄは、間仕切体１０受入側最端部において最も広がった部分が、間仕切体１０がガイドレール１６にない時には、上側になるように位置付けられている。
複数の間仕切体１０のうちで最も移動側、即ち最もガイドレール１６進入方向側にある間仕切体１０の進入方向側端部の下端には、ガイド部材であるガイドピン２０が設けられる。ガイドピン２０は、進入方向へと突出しており、間仕切体１０がガイドレール１６に進入すると、ガイドピン２０が最初にテーパー部１６ｃに干渉して、テーパー部１６ｃを押すことによって、ガイドレール１６を回動させることができるようになっている。
【００１２】
図３は、本発明の第１の実施の形態の間仕切用ガイドレール構造を表す横断面図である。各ガイドレール１６は、床面１４に埋設され上側が開放された断面略コ字状の床枠体１８内に配設された、横断面略Ｃ字状の形状をなしており、床枠体１８内において、その長手方向の軸線を中心として、回動可能となっている。ガイドレール１６と床枠体１８との間の摩擦抵抗は非常に小さくなっており、ガイドレール１６が床枠体１８から抵抗を受けることなく回動自在となっている。図示していないが、ガイドレール１６の外周面をローラ等の回転体や円弧状の支持面を有する台座等で支持するようにしてもよい。横断面略Ｃ字状のガイドレール１６の開口は、レール溝１６ａとなっており、上記ガイド部１０ａが貫通するためのものである。また、ガイドレール１６には、レール溝１６ａに隣接して、他の部位よりも重くなったウエイト部１６ｂが設けられている。
【００１３】
図４に示したように、間仕切体１０がガイドレール１６にない時には、その自重によってウエイト部１６ｂが可能な限り下側になるように、ガイドレール１６が床枠体１８内で回動する。そして、床枠体１８のレール溝側端にはストッパー部材１８ａが形成されており、ガイドレール１６のレール溝１６ａの一側端がこのストッパー部材１８ａに当接して停止した状態にある。このストッパー部材１８ａに停止された状態でレール溝１６ａは上側以外の位置にあり、ガイドレール１６の上側はレール溝１６ａ以外のガイドレール１６部位によって閉鎖されている。
【００１４】
以上のように構成される間仕切用ガイドレール構造の作用を説明する。間仕切体１０がハンガーレール１２の端部（または他の収納スペース）において折り畳まれて空間を開放した状態から、間仕切体１０をハンガーレール１２に沿って移動させていくと、各ガイドレール１６に進入する際に、ガイドピン２０がガイドレール１６のテーパー部１６ｃに進入し（図２（ａ））、テーパー部１６ｃに沿ってガイドレール１６を回動させる。そして、間仕切体１０の進行と共に、レール溝１６ａが上側になり、ガイドピン２０がテーパー部１６ｃからレール溝１６ａへと移行し、間仕切体１０のガイド部１０ａは、上側になったレール溝１６ａを貫通してガイドレール１６内に挿入され、そこで案内されながら移動する（図２（ｂ））。先頭の間仕切体１０が次のガイドレール１６に進入するときには、先と同様に次のガイドレール１６のテーパー部１６ｃに沿ってガイドレール１６を回動させる。先頭の間仕切体１０以降の間仕切体１０も、先頭の間仕切体１０によってレール溝１６ａが上側になったガイドレール１６内に、そのガイド部１０ａが順次挿入され、そこで案内されながら移動することができる。こうして、間仕切体１０がガイドレール１６を移動して、空間を仕切ることができる。
【００１５】
ガイドレール１６は、床枠体１８内を軸線方向を中心として自転するだけであるため、先頭の間仕切体１０を１つのガイドレール１６の途中位置で停止させたときに、間仕切体１０が存在していないガイドレール１６部分で、ガイドレール１６が床面１４よりも上方に突出することはなく、足を引掛ける恐れはない。
また、間仕切体１０がハンガーレール１２に沿って折り畳まれるときには、間仕切体１０のガイド部１０ａがガイドレール１６のレール溝１６ａを通過しながら、先と反対に進行する。全ての間仕切体１０が各ガイドレール１６から脱出すると、各ガイドレール１６はそのウエイト部１６ｂによる自重によって強制的に回動され、レール溝１６ａの一側端が床枠体１８のストッパー部材１８ａに当接して停止し元の状態に戻る。こうして、ガイドレール１６の上側が閉鎖されるために、不使用時に塵埃等がガイドレール１６内に侵入することを防止することができる。また、ガイドレール１６を踏んでも、ガイドレール１６は上下動しないため、ガイドレール１６が沈んだりすることはない。
【００１６】
図５ないし図７は、本発明の第２の実施の形態の間仕切用ガイドレール構造を表す図である。第１の実施の形態と同様の部材は同一の符号を付し、その詳細説明を省略する。
この実施の形態のガイドレール２２は、第１の実施の形態のガイドレール１６と比較して、ウエイト部１６ｂを設ける代わりに、横断面略Ｃ字状をしたガイドレール２２のレール溝２２ａの一側端と床枠体１８のストッパー部材１８ａとの間に弾性部材であるバネ２４が介挿されており、図６に示したように、バネ２４によって、間仕切体１０がガイドレール２２にない時に、ガイドレール２２は床枠体１８内を図中左回りに回動する方向に付勢されている。そして、床枠体１８のレール溝側端にはストッパー部材１８ａが形成されており、ガイドレール２２のレール溝２２ａの他側端がこのストッパー部材１８ａに当接して停止した状態にある。このストッパー部材１８ａに停止された状態でレール溝２２ａは上側以外の位置にあり、ガイドレール２２の上側はレール溝２２ａ以外のガイドレール２２部位によって閉鎖されている。
【００１７】
また、図７に示したように、このガイドレール２２には、その間仕切体１０受入側端部において、軸線から斜めに傾斜するテーパー部２２ｃが形成され、入口２２ｄが画成されるのは、第１の実施の形態と同様である。
この第２の実施の形態においても、ウエイト部１６ｂの代わりに、間仕切体１０がガイドレール２２にない時には、バネ２４によってレール溝２２ａが上側にならないように強制的に回動されて、ガイドレール２２の上側が閉鎖されるために、不使用時に塵埃等がガイドレール２２内に侵入することを防止することができる。間仕切体１０がガイドレール２２に進入したときに、ガイドレール２２がレール溝２２ａが上側になるよう自転するのは、第１の実施の形態と同様である。こうして、第１の実施の形態と同様の作用・効果が得られる。
【００１８】
図８ないし図１１は、本発明の第３の実施の形態の間仕切用ガイドレール構造を表す図である。第１の実施の形態と同様の部材は同一の符号を付し、その詳細説明を省略する。
この実施の形態のガイドレール３２は、横断面略Ｃ字状をしたガイドレール３２の内周面に、案内溝３２ｂが形成されている。
案内溝３２ｂは、図１１に示したように、ガイドレール３２の長手方向に見て、間仕切体１０受入側端部において軸線から斜めに傾斜するテーパー状に設けられる。
【００１９】
複数の間仕切体１０のうちで最も移動側、すなわちガイドレール３２進入方向側にある間仕切体１０の進入方向側端部の下端には、ガイド部材であるガイドピン３４が設けられている。ガイドピン３４は、進行側に突出した先端部３４ａを有し、先端部３４ａは、ガイドレール３２の端部からレール溝３２ａを通らずにガイドレール３２内へと進入することができる高さを持ち、前記案内溝３２ｂを摺動可能となっている。
間仕切体１０がガイドレール３２にない時には、案内溝３２ｂは、間仕切体１０最受入側端部において、ガイドピン３４を受け入れることができる位置にある。
【００２０】
以上のように構成される間仕切用ガイドレール構造の作用を説明する。間仕切体１０がハンガーレール１２の端部（または他の収納スペース）において折り畳まれて空間を開放した状態から、間仕切体１０をハンガーレール１２に沿って移動させていくと、ガイドピン３４の先端部３４ａがガイドレール３２の案内溝３２ｂに進入し（図１１（ａ））、テーパー状の案内溝３２ｂに沿ってガイドレール３２を回動させる。そして、間仕切体１０の進行と共に、レール溝３２ａが上側になる。間仕切体１０のガイド部１０ａは、上側になったレール溝３２ａを貫通してガイドレール３２内に挿入され、そこで案内されながら移動することができる（図１１（ｂ））。
また、間仕切体１０がハンガーレール１２に沿って折り畳まれるときには、間仕切体１０のガイド部１０ａがガイドレール３２のレール溝３２ａを通過しながら、先と反対に進行する。最後の間仕切体１０、即ち、最もガイドレール３２進行方向側にある間仕切体１０のガイドピン３４が各ガイドレール３２の案内溝３２ｂを通ると、ガイドレール３２が元の位置に回動し、元の位置に戻る。
【００２１】
この実施の形態においては、テーパー部１６ｃ、２２ｃに類似するテーパー部をレール溝３２ａと連続して形成することでも良いが、ガイドピン３４の先端部３４ａを間仕切体１０への取付基部に対して案内溝３２ｂの長手方向長さ分だけ前方に突出させておけば、ガイドピン３４の取付基部がガイドレール３２に進入する際には、すでにレール溝３２ａが上側となっているので、上記テーパー部を敢えて設ける必要はない。従って、ガイドレール３２に間仕切体１０がない時には、レール溝３２ａを露出させることなくガイドレール３２を完全に閉鎖させることができる。
【００２２】
【発明の効果】
以上説明したように本発明によれば、不使用時、即ち間仕切体がガイドレールにない時には、ガイドレールのレール溝以外が上側になり、ガイドレールが閉鎖されるため、ガイドレール内への塵埃等の侵入を防止することができる。間仕切体のガイドレール進入時には、間仕切体に設けられたガイド部材がガイドレールを回動させて、そのレール溝が上側になるように回動される一方、間仕切体のガイドレール脱出時は、レール溝以外が上側になるようにガイドレールが強制的に回動されるので、間仕切体の開閉に伴って、自動的にガイドレールが回動されるため、開閉操作に煩わしさがない。
【００２３】
そして、ガイドレールは横断面略Ｃ字状の形状であり、長手方向の軸線を中心として回動することによってガイドレールは開閉され、ガイドレールが開放された時でも床面からガイドレールが突出することがないため、足を引掛けたりすることを防止することができる。
ガイドレールが閉鎖されている状態においては、ガイドレールを踏んでも、ガイドレールは上下動しないため、ガイドレールが沈んだりすることはない。
【図面の簡単な説明】
【図１】間仕切体の全体正面図である。
【図２】本発明の第１の実施の形態のガイドレールの平面図である。
【図３】本発明の第１の実施の形態を表す図１の３−３線に沿って見た断面図であり、間仕切体のガイドレール通過時を表す。
【図４】本発明の第１の実施の形態を表す図３相当断面図であり、間仕切体がガイドレールにない時を表す。
【図５】本発明の第２の実施の形態を表す図１の３−３線に沿って見た断面図であり、間仕切体のガイドレール通過時を表す。
【図６】本発明の第２の実施の形態を表す図５相当断面図であり、間仕切体がガイドレールにない時を表す。
【図７】本発明の第２の実施の形態のガイドレールの平面図である。
【図８】本発明の第３の実施の形態を表す図１０の８−８線に沿って見た断面図であり、間仕切体のガイドレール通過時を表す。
【図９】本発明の第３の実施の形態を表す図８相当断面図であり、間仕切体がガイドレールにない時を表す。
【図１０】本発明の第３の実施の形態のガイドレールの斜視図である。
【図１１】本発明の第３の実施の形態のガイドレールの平面図である。
【符号の説明】
１０  間仕切体
１２  ハンガーレール
１４  床面
１６、２２、３２  ガイドレール
１６ａ、２２ａ、３２ａ  レール溝
１６ｂ  ウエイト部
１６ｃ、２２ｃ  テーパー部
１６ｄ、２２ｄ  入口
３２ｂ  案内溝
２０、３４  ガイドピン（ガイド部材）
２４  バネ（弾性部材）
【図１】
0003631007.tif 000002
【図２】
0003631007.tif 000003
【図３】
0003631007.tif 000004
【図４】
0003631007.tif 000005
【図５】
0003631007.tif 000006
【図６】
0003631007.tif 000007
【図７】
0003631007.tif 000008
【図８】
0003631007.tif 000009
【図９】
0003631007.tif 000010
【図１０】
0003631007.tif 000011
【図１１】
0003631007.tif 000012